(57)【特許請求の範囲】
【請求項１】
射出成形にて透明な樹脂で成形する軸筒本体の把持部に天面を平地状とした凸部を形成し、該把持部を被覆する把持部材に前記凸部と対応した窓孔部を形成し、把持部材を把持部に窓孔部を把持部の凸部に嵌着させて装着してなる筆記具の軸筒において、前記凸部の側面を天面から底面に向かうにしたがって拡開する天面側の第１傾斜面と、底面側の第２傾斜面とで構成し、且つ軸筒本体の外表面に対する第１傾斜面の傾斜Ｐ、第２傾斜面の傾斜Ｑとしたとき、傾斜Ｐ＞傾斜Ｑとなるようにしたことを特徴とする筆記具の軸筒。
【発明の詳細な説明】
【０００１】
【産業上の利用分野】
本発明は、射出成形にて透明な樹脂で成形する軸筒本体の把持部に天面を平地状とした凸部を形成すると共に、把持部を被覆する把持部材に凸部と対応した窓孔部を形成し、把持部材を把持部に窓孔部を把持部の凸部に嵌着させて装着してなる筆記具の軸筒に関する。
【０００２】
【従来の技術】
従来より、筆記具を握りやすくするために、軸筒本体の把持部にシリコンゴムやエラストマー等の弾性樹脂からなる把持部材を被覆した軸筒は良く知られている。また、デザインの向上や把持部材の回転防止のために、把持部材の窓孔部を軸筒本体に形成した天面が平地状の凸部に嵌着して装着した軸筒も知られている。尚、この様な軸筒においては、窓孔部からボールペンのインキ残量や、シャープペンシルの芯残量を確認できるように軸筒本体を透明な樹脂で形成したものが多く用いられている。
【０００３】
ところで、軸筒本体に形成する凸部は、射出成形時における金型からの抜けを良くするために、通常、凸部の側面を底面に向かうにしたがって拡開する傾斜面としている。さらに、従来の軸筒を図を用いて説明をおこなうと、図３は、従来の軸筒の断面の一部を示す図で、把持部材１０１の窓孔部１０２を軸筒本体２０１の把持部２０２に形成した凸部２０３に嵌着して装着した部分の断面である。図３に示す凸部２０３は天面２０４を平地状とし、側面２０５を底面２０６に向かうにしたがって拡開する傾斜面２０５ａとし、軸筒本体２０１の外表面２０７に対する傾斜面２０５ａの傾斜Ｓを急な勾配で形成してある。
【０００４】
また、図４は、他の従来の軸筒の断面の一部を示す図で、把持部材３０１の窓孔部３０２を軸筒本体４０１の把持部材４０２に形成した凸部４０３に嵌着して装着した部分の断面である。図４に示す凸部４０３は天面４０４を平地状とし、側面４０５を底面４０６に向かうにしたがって拡開する傾斜面４０５ａとし、軸筒本体４０１の外表面４０７に対する傾斜面４０５ａの傾斜Ｔを緩やかな勾配で形成してある。
【０００５】
【発明が解決しようとする課題】
したがって、図３に示す凸部２０３は、傾斜Ｓが急な勾配となっているため、天面２０４の端部角Ｓ１がきつくなり、軸筒本体２０１の射出成形において端部角Ｓ１の内面部分で湯の流れＵに乱れが生じ易くなり、その結果として、天面２０４側の内面部分に気泡Ｋが溜まり、軸筒本体２０１が透明樹脂である場合には窓孔部１０２から気泡Ｋが見えて見栄えが悪くなるという問題があった。
【０００６】
また、図４に示す凸部４０３は、傾斜Ｔが緩やかな勾配となっているため、天面４０４の端部角Ｔ１も滑らかになり、湯の流れＶに乱れは生じず、天面４０４の端部角Ｔ１の内面部分に気泡が溜まることはないが、把持部材３０１における窓孔部３０２の外縁部３０３が広範囲に渡り薄肉となり、その結果として、外縁部３０３が透けて見えてしまうという問題があった。
【０００７】
本発明はこうした問題点を解消するために、軸筒本体に形成する凸部の内面部分に気泡が溜まることがなく、また、把持部材の窓孔部における外縁部が透けて見えることがない筆記具の軸筒を提供することを目的とする。
【０００８】
【課題を解決するための手段】
次に、前記課題の解決するために案出した本発明の筆記具の軸筒を説明する。
「１．射出成形にて透明な樹脂で成形する軸筒本体の把持部に天面を平地状とした凸部を形成し、該把持部を被覆する把持部材に前記凸部と対応した窓孔部を形成し、把持部材を把持部に窓孔部を把持部の凸部に嵌着させて装着してなる筆記具の軸筒において、前記凸部の側面を天面から底面に向かうにしたがって拡開する天面側の第１傾斜面と、底面側の第２傾斜面とで構成し、且つ軸筒本体の外表面に対する第１傾斜面の傾斜Ｐ、第２傾斜面の傾斜Ｑとしたとき、傾斜Ｐ＞傾斜Ｑとなるようにしたことを特徴とする。」
【０００９】
本発明における傾斜Ｐ及び傾斜Ｑの具体的な角度は、軸筒本体及び把持部材に使用する材料により適宜設定すれば良く、本発明の要旨は、凸部の側面の傾斜を段階的に分けることにあり、特に底面側の第２傾斜面の傾斜Ｑを天面側の第１傾斜面の傾斜Ｐより緩やかにすることにより、射出成形時において軸筒本体の凸部の部分に入り込む滑らかな湯の流れを確保して気泡が溜まることを防ぎ、また、第１傾斜面の傾斜Ｐを第２傾斜面の傾斜Ｑより急にすることにより、把持部材の窓孔部における外縁部に適度な厚みを与えて外縁部が透けて見えることを防ぐためである。
【００１０】
【発明の実施の形態】
次に、本発明を理解し易くするために図を用いて説明を行なう。尚、本実施の形態では、筆記具の軸筒としてボールペンの軸筒を用いて説明を行なうが、本発明はボールペンの軸筒に限定されるものではなく、シャープペンシルやサインペン等の種種の筆記具の軸筒に用いることができる。また、本発明では、ボールペンのチップ側を前方として表現し、その反対側を後方として表現する。
【００１１】
図１は、本実施の形態の軸筒を使用したボールペンの側面図である。図１においてボールペンの軸筒１は、透明な樹脂からなる軸筒本体２の把持部３に、弾性樹脂からなる把持部材４を被覆し、軸筒本体２の前方に先窄み部５を形成している。また、先窄み部５の先端開口(図示せず)からは軸筒本体２の内部に収容したレフィル６のチップ部６ａを突出しており、軸筒本体２の後方に配設したノック部７のノック体７ａを押圧操作することにより、チップ部６ａを出没可能としている。尚、ノック部７の側面にはクリップ７ｂを形成している。
【００１２】
また、軸筒本体２の把持部３には、天面８ａが平地状の凸部８を形成しており、把持部材４には凸部８に対応した窓孔部４ａを形成し、把持部材４を把持部３に窓孔部４ａを把持部３の凸部８に嵌着して装着している。
【００１３】
図２は、図１のＡ−Ａ線の要部断面図である。図２において、凸部８は天面８ａから底面８ｂに向かうにしたがって拡開する側面９を有しており、側面９は、天面側の第１傾斜面９ａと底面側の第２傾斜面９ｂとで構成している。また、軸筒本体２の外表面２ａに対する第１傾斜面９ａの傾斜Ｐと第２傾斜面９ｂの傾斜Ｑとの関係は、傾斜Ｐ＞傾斜Ｑとなっており、傾斜Ｑが傾斜Ｐより緩やかになっていることから、射出成形時において軸筒本体２の凸部８の部分に入り込む滑らかな湯の流れＷを確保しつつ、傾斜Ｐが傾斜Ｑより急になっていることから、把持部材４における窓孔部４ａの外縁部４ｂに適度な厚みを持たせている。尚、本実施の形態では傾斜Ｐを４５°とし、傾斜Ｑを３８°としている。
【００１４】
【発明の効果】
本発明は以上のような構成のため、射出成形時において軸筒本体の凸部の部分に入り込む滑らかな湯の流れを確保して気泡が溜まることを防ぎ、また、把持部材における窓孔部の外縁部に適度な厚みを与えて、外縁部が透けて見えることを防げるものとなった。
【図面の簡単な説明】
【図１】  本実施の形態の軸筒を使用したボールペンの側面図である。
【図２】  図１のＡ−Ａ線の要部断面図である。
【図３】  従来の軸筒の断面の一部を示す図である。
【図４】  他の従来の軸筒の断面の一部を示す図である。
【符号の説明】
１…ボールペンの軸筒、２…軸筒本体、３…把持部、
４…把持部材、４ａ…窓孔部、４ｂ…外縁部、
５…先窄み部、
６…レフィル、６ａ…チップ部、７…ノック部、７ａ…ノック体、
８…凸部、８ａ…天面、８ｂ…底面、
９…側面、９ａ…第１傾斜面、９ｂ…第２傾斜面。
【図１】
0003929275.tif 000002
【図２】
0003929275.tif 000003
【図３】
0003929275.tif 000004
【図４】
0003929275.tif 000005